(57)【特許請求の範囲】
【請求項１】
使用単位毎に積層されているウエットティッシュと、このウエットティッシュを加熱する加熱部と、を有するウエットティッシュ容器であって、上記加熱部が直近の使用単位のウエットティッシュのみを加熱する構成となっており、
上記ウエットティシュを使用単位毎に取り出すための取り出し口と、上記加熱部とが熱的に分離され、上記加熱部の熱が上記取り出し口に伝わることがなく、
上記使用単位毎のウエットティッシュを、上記取り出し口から上方に少し引き出した後に、上記加熱部が加熱する構成となっていることを特徴とするウエットティッシュ容器。
【請求項２】
上記加熱部が、上記取り出し口の近傍に配置されていることを特徴とする請求項１に記載のウエットティッシュ容器。
【請求項３】
上記取り出し口には、この取り出し口を開閉するための蓋部が設けられ、この蓋部に上記加熱部が設けられていることを特徴とする請求項１又は請求項２に記載のウエットティッシュ容器。
【請求項４】
上記使用単位毎に積層されているウエットティッシュが、一つの使用単位を取り出すと、次の使用単位が取り出し易い待機状態となるように形成されていることを特徴とする請求項１乃至請求項３のいずれかに記載のウエットティッシュ容器。
【請求項５】
上記加熱部が一体的に設けられていることを特徴とする請求項１乃至請求項４のいずれかに記載のウエットティッシュ容器。
【発明の詳細な説明】
【０００１】
【発明の属する技術分野】
本発明は、ウェットティッシュを加熱する加熱部を有するウエットティッシュ容器に関するものである。
【０００２】
【従来の技術】
従来より、ウエットティシュを使用単位毎に積層して収容しているウエットティッシュ容器が知られている。そして、このウエットティッシュは、通常、薬液等が染み込んでいるため、使用に際し、人の肌に触れると冷寒を生じさせてしまうという問題があった。特に、乳幼児等に対し、このウエットティッシュを使用する場合は、このウエットティッシュがもたらす冷寒から乳幼児等が泣き出す等の弊害が生じていた。
このため、このウエットティッシュ容器の内部等に加熱器等を設置し、容器内のウエットティッシュを温めるウエットティッシュ容器が考案されていた。
【０００３】
【発明が解決しようとする課題】
しかしながら、このようなウエットティッシュ容器においては、以下のような問題があった。
すなわち、容器内部等に設置されている加熱器の熱が、容器内のウエットティッシュを温めるだけでなく、このウエットティッシュに染み込んでいる薬液等の水分をも蒸発させてしまっていた。そして、使用者がウエットティッシュを使用する際には、すでに、ウエットティッシュは乾いた状態となっており、使用できないという問題があった。
【０００４】
本発明は、以上の点に鑑み、ウエットティッシュ容器内のウエットティッシュの水分を乾燥させることなく、直近の使用単位のウエットティッシュを温めるウエットティッシュ容器を提供することを目的としている。
【０００５】
【課題を解決するための手段】
上記目的は、本発明によれば、使用単位毎に積層されているウエットティッシュと、このウエットティッシュを加熱する加熱部と、を有するウエットティッシュ容器であって、上記加熱部が直近の使用単位のウエットティッシュのみを加熱する構成となっており、上記ウエットティシュを使用単位毎に取り出すための取り出し口と、上記加熱部とが熱的に分離され、上記加熱部の熱が上記取り出し口に伝わることがなく、上記使用単位毎のウエットティッシュを、上記取り出し口から上方に少し引き出した後に、上記加熱部が加熱する構成となっていることを特徴とするウエットティッシュ容器により、達成される。
【０００６】
上記構成によれば、上記加熱部が直近の使用単位のウエットティッシュのみを加熱する構成となっているため、この直近の使用単位のウエットティッシュ以外のウエットティッシュを温め、乾燥させることはない。
また、上記構成によれば、上記ウエットティシュを使用単位毎に取り出すための取り出し口と、上記加熱部とが熱的に分離しているため、この加熱部の熱が上記取り出し口から上記ウエットティシュ容器内部のウエットティッシュに伝わることがない。
【００１０】
また、好ましくは、請求項１の構成において、上記加熱部が、上記取り出し口の近傍に配置されているウエットティッシュ容器である。
【００１１】
上記構成によれば、上記使用単位毎のウエットティッシュを、上記取り出し口から取り出す際に、上記加熱部が加熱する構成となり、また、上記加熱部が、上記取り出し口の近傍に配置されている構成となっているため、使用単位のウエットティッシュを取り出しながら、このウエットティッシュのみを加熱することができる。
【００１２】
そして、好ましくは、請求項１又は２の構成において、上記取り出し口には、この取り出し口を開閉するための蓋部が設けられ、この蓋部に上記加熱部が設けられているウエットティッシュ容器である。
【００１３】
上記構成によれば、上記蓋部に上記加熱部が設けられているため、上記取り出し口からウエットティッシュを取り出しながら、この蓋部の加熱部で、ウエットティシュを加熱することができる。
【００１４】
さらに、好ましくは、請求項１乃至３の構成において、上記使用単位毎に積層されているウエットティッシュが、一つの使用単位を取り出すと、次の使用単位が取り出し易い待機状態となるように形成されているウエットティッシュ容器である。
【００１５】
上記構成によれば、上記使用単位毎に積層されているウエットティッシュが、一つの使用単位を取り出すと、次の使用単位が取り出し易い待機状態となるように形成されているウエットティッシュ容器に収容されているため、次の使用単位のウエットティシュが加熱されることなく、且つ取り出し易くなる。
【００１６】
そして、好ましくは、請求項１乃至４の構成において、上記加熱部が一体的に設けられているウエットティッシュ容器である。
【００１７】
上記構成によれば、上記加熱部が一体的に設けられているため、この加熱部とウエットティッシュ容器を一体的に取り扱うことができる。
【００１８】
【発明の実施の形態】
以下、この発明の好適な実施例を図１乃至図２４を参照しながら、詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００１９】
（第１の実施の形態）
図１は、本発明の第１の実施の形態に係るウェットティッシュ容器を示している。
図において、ウエットティッシュ容器１００は、ウエットティッシュを使用単位毎に積層して収容する、容器本体１０１と、この容器本体１０１を覆うための容器カバー１２０とを備えている。
この容器カバー１２０には、容器本体１１０内に収容されているウエットティッシュを取り出すための取り出し口１２２と、この取り出し口１２２の近傍に配置された加熱部１２１と、が備えられている。また、この取り出し口１２２には、この取り出し口１２２を覆うための蓋部１２３がヒンジ１２３ａを介して取り付けられている。
この取り出し口１２２には、実際にウエットティッシュが容器本体１１０から排出されるための排出口１２２ａが設けられている。
また、上記加熱部１２１には、その中央を横断するように溝部１２１ａが設けられている。そして、この加熱部１２１に電力を供給するためのコード１３０が、上記容器カバー１２０に取り付けられている。このコード１３０の端部には、コンセントに差し込むためのプラグ１３０ａが接続されている。
【００２０】
ところで、この加熱部１２１は、具体的には例えば図２及び図３に示すように構成されている。図２は、加熱部１２１の正面斜視図であり、図３は加熱部１２１の底面斜視図である。
図２に示すように、加熱部１２１は、アルミニウム製の基板１２１ｂを有している。この基板１２１ｂの上には、例えば２枚のアルミニウム製の溝部形成用板材１２１ｃ、１２１ｃが設けられている。この２枚の溝部形成用板材１２１ｃの一方には、バネ１２１ｄが付いているため、これら２枚の溝部形成用板材１２１ｃ、１２１ｃは相互に近接する方向に付勢力が加わっている
これら２枚の溝部形成用板材１２１ｃ、１２１ｃによって、図１に示す溝部１２１ａが形成されることになる。
図３に示すように、加熱部１２１の底面には、例えばＰＴＣサーミスタ等のセラミックヒータ１２１ｅが設けられている。このセラミックヒータ１２１ｅは、図示のように、コード１３０及びプラグ１３０ａと電気的に接続されている。また、この電気的接続は図１に示す容器カバー１２０に設けられた「ＯＮ」又は「ＯＦＦ」のスイッチを操作することにより、電気的接続が「ＯＮ」又は「ＯＦＦ」されるようになっている。
【００２１】
一方、上記容器本体１１０の内部に収容されているウエットティッシュは、例えば図４に示すように使用単位毎に積層されている。すなわち、直近の使用単位であるウエットティッシュＷ１は、図４に示すように折り曲げられている。
このウエットティッシュＷ１の図において上端部は、上記排出口１２２ａから僅かに突出して配置されている。一方、このウエットティッシュＷ１の図において下端部は、次の使用単位であるウエットティッシュＷ２の上端部と重なり合うように配置されている。このように上端部と下端部が僅かに重なり合うようにして、ウエットティッシュは、例えば９０枚程度、容器本体１１０に収められている。
【００２２】
本実施の形態にかかるウエットティッシュ容器１００は、以上のように構成されているが、その使用方法等について以下に説明する。
冬期等の寒い時期で、ウエットティッシュを温めて乳幼児等に使用する必要がある場合は、先ず、図１に示すプラグ１３０ａを使用者が図示しないコンセントに差し込む。次いで、使用者は、容器カバー１２０に設けられている「ＯＮ」スイッチを操作して、「ＯＮ」の状態にする。
これにより、加熱部１２１に電力が供給され、具体的には、図３に示すセラミックヒータ１２１ｅに電力が供給される。このセラミックヒータ１２１ｅでは、この電力を熱エネルギに変換する。この熱エネルギは、熱伝導性の良いアルミニウムの基板１２１ｂに伝わり、その後、この基板１２１ｅ上に載置されているアルミニウム製の溝部形成用板材１２１ｃ、１２１ｃに伝わることになる。
このセラミックヒータ１２１ｅは、規定（設定）された温度を超えた場合には、発熱量を抑える自己温度制御素子であり、規定（設定）された温度を保つことが可能となっている。したがって、本実施の形態では、一例として、セラミックヒータ１２１ｅを用いたが、これに限らず、サーモスタット等を用いても構わない。
ところで、上記溝部形成用板材１２１ｃ、１２１ｃの間の溝部１２１ａには、上述ように、バネ１２１ｄにより一方の溝部形成用板材１２１ｃに付勢力が加わっているため、これら溝部形成用板材１２１ｃ、１２１ｃは、相互に当接する状態になっている。
したがって、相互に接触している溝部形成用板材１２１ｃ、１２１ｃは、加熱されている状態となっている。
【００２３】
次に、使用者は、図１に示す蓋部１２３を開け、図４に示すウエットティッシュＷ１のうち排出口１２２ａから僅かに突出している上端部を保持し、図において上方に少し引き出すことになる。
この状態を示したのが、図５である。図５のように、上方に少し引き出した後、矢印で示すように、このウエットティッシュＷ１を、溝部１２１ａに設けられている溝部形成用板材１２１ｃ、１２１ｃの間に差し込むことになる。この状態を示したのが、図５の破線である。
そして、この溝部形成用板材１２１ｃ、１２１ｃの間に差し込まれているウエットティッシュシＷ１を、図において左方向に引き抜くように移動させる。このとき、溝部形成用板材１２１ｃ、１２１ｃは、加熱されているため、この熱がウエットティッシュシＷ１に伝わり、ウエットティッシュシＷ１が加熱されることになる。
このようにして、ウエットティッシュシＷ１の全体を溝部形成用板材１２１ｃ、１２１ｃの間から引き抜いたときは、ウエットティッシュシＷ１は、温められた状態となるため、乳幼児等に対して冷寒を感じさせることなく使用することができる。また、ウエットティッシュシＷ１は、取り出し口１２２の排出口１２２ａから引き出されながら温められることになる。
【００２４】
ところで、このウエットティッシュシＷ１を排出口１２２ａから引き出すとき、図４に示すように、ウエットティッシュシＷ１の下端部がウエットティッシュシＷ２の上端部と重なり合っているため、ウエットティッシュシＷ１に引っ張られて、ウエットティッシュシＷ２の上端部が排出口１２２ａから僅かに突出した状態、すなわち、取り出し易い待機状態となる。したがって、使用者は、ウエットティッシュシＷ１を引き出した後、直ぐ、待機状態のウエットティッシュシＷ２を引き出すことができる（ポップアップ方式ともいう）。
このように、先のウエットティッシュシを引き出すと、その次のウエットティッシュシが待機状態となるように、それぞれの端部が図４に示すように重なった状態で、例えば９０枚、容器本体１１０内に収容されている。
そして、本実施の形態にかかるウエットティッシュ容器１００では、加熱部１２１と排出口１２２ａが、近傍に配置されてはいるが、加熱部１２１の熱が排出口１２２ａに伝わることがない。このため、上述のウエットティッシュシＷ１を引き出して加熱していても、待機状態のウエットティッシュシＷ２を加熱して乾燥されることがない。また、従来は、加熱の影響で、待機状態のウエットティッシュシＷ２に含浸されている薬液等が変質等していたが、本実施の形態では、上記のように加熱部１２１と排出口１２２ａが熱的に分離されているため、待機状態のウエットティッシュシＷ２に含浸されている薬液等を変質等させることもない。
最後に、必要量のウエットティッシュを排出口１２２ａから引き出し、加熱部１２１で加熱し終わった使用者は、蓋部１２３を閉めることになる。
本実施の形態においては、ウエットティッシュＷ１等を加熱部１２１で加熱する場合について記載したが、ウエットティッシュＷ１を加熱した後、加熱しないでウエットティッシュＷ２を使用したい場合は、この加熱部１２１を使用しないで、そのまま引き出せば良いことになる。
これに対し、従来のウエットティッシュ容器では、ウエットティッシュを引き出す際、必ず加熱器を通過してしまう構造となっており、加熱したくない場合は、この加熱器の電源を「ＯＦＦ」にする必要があった。
したがって、本実施の形態にかかるウエットティッシュ容器１００では、従来の加熱部付きウエットティッシュ容器と異なり、加熱部１２１の電源スイッチ（図１参照）を「ＯＦＦ」にすることなく、加熱しないウエットティッシュを使用者は入手することができる。
【００２５】
（第２の実施の形態）
図６は、本発明に係る第２の実施の形態に係るウエットティッシュ容器２００を示す図である。本実施の形態にかかるウエットティッシュ容器２００は、第１の実施の形態と比べ、加熱部２２１が異なるため、以下、この加熱部２２１を中心に説明する。この加熱部２２１以外の構成は、第１の実施の形態と同様であるため、同一符号を付す等して説明を省略する。
図６に示すように、本実施の形態の加熱部２２１は、容器カバー２２０の上に載置されている。したがって、加熱部２２１が、容器カバー２２０内に一体的に配置されている第１の実施の形態にかかるウエットティッシュ容器１００と、その構成を異にする。
この加熱部２２１は、ウエットティッシュの容器本体２１０及び容器カバー２２０と別体に形成されているため、加熱部２２１が設けられていない従来のウエットティッシュの容器カバー２２０に、後から載置することができるものである。具体的には、この加熱部２２１は、容器カバー２２０の取り出し口１２２近傍で、且つ、容器カバー２２０の長手方向に設けられている。
【００２６】
この加熱部２２１には、第１の実施の形態と同様に、加熱部２２１に電力を供給するためのコード１３０及びプラグ１３０ａが設けられている、また、この加熱部２２１の内部には、図２及び図３に示す、第１の実施の形態と同様の加熱部が形成されている。したがって、図７に示すように、使用者がウエットティッシュＷ１を引き出しながら、加熱部２２１の溝部２２１ａに差し込むことで、図２の溝部形成用板材１２１ｃ、１２１ｃの間に挟み込まれ、熱の伝導が行われることになる。この挟み込まれたウエットティッシュＷ１は、その状態で図において手前方向に使用者によって引き抜かれることになる。そのとき、ウエットティッシュＷ１全体が等しく加熱されることになる。
このように本実施の形態にかかるウエットティッシュ容器２００では、容器カバー２２０上のウエットティッシュＷ１の取り出し口１２２近傍に加熱部２２１が設けられているため、ウエットティッシュＷ１を取り出し口１２２から引き出しながら加熱することができると共に、図４に示すウエットティッシュＷ２やその他のウエットティッシュを同時に加熱して、乾燥させることがない。
【００２７】
（第２の実施の形態の第１の変形例）
図８は、図６に示す本実施の形態にかかるウエットティッシュ容器２００の加熱部２２１の第１の変形例を示す図である。また、図１１は、図８の加熱部３２１の概略断面図である。この加熱部３２１は、図８に示すように、全体が略台形となっており、その一部に溝部３２１ａが設けられている。
そして、この溝部３２１は、具体的には図１１に示すように、その溝が２段階に屈曲しており、その低部には、ヒータ付きのアルミプレート３２１ｂが設けられている。このヒータは、例えば図３に示すセラミックヒータである。
なお、この加熱部３２１の略台形部分は、プラスチック等により形成されている。
このように加熱部３２１ａの溝が屈曲して設けられているため、使用者は、ウエットティッシュＷ１をこの溝部３２１ａの低部まで差し込み、ヒータ付きのアルミプレート３２１ｂに当接させ、このウエットティッシュＷ１を引き抜くと、溝部３２１ａの、より狭い空間であるヒータ付きのアルミプレート３２１ｂが設けられている低部にウエットティッシュＷ１が押し込められるため、より効果的にウエットティッシュＷ１を加熱することができる。
また、このヒータ付きのアルミプレート３２１ｂが設けられている低部にローラ等を設ければ、使用者がウエットティッシュＷ１を引き抜くとき、速やかに引き抜くことができる。
【００２８】
（第２の実施の形態の第２の変形例）
図９は、図６に示す本実施の形態にかかるウエットティッシュ容器２００の加熱部２２１の第２の変形例を示す図である。また、図１２は、図９に示す加熱部４２１の概略断面図である。この加熱部４２１は、図９に示すように、全体が半円形となっており、その円弧状の部分に一部に溝部４２１ａが設けられている。具体的には、図１２に示すように、半円形のアルミプレート保持部４２１の円弧状の部分に、円弧状のアルミプレート４２１ｂが設けられている。このアルミプレート４２１ｂは、例えば、このアルミプレート保持部４２１に設けられたセラミックヒータ（図３参照）と接続されている。
また、このアルミプレート４２１ｂの図において外方には、耐熱プラスチック製のアルミプレートカバー４２１ｃが設けられている。そして、このアルミプレート保持部４２１が図示しないバネ等によって矢印方向に付勢されているため、アルミプレート４２１は、アルミプレートカバー４２１ｃと接触状態に置かれている。
このように構成されている加熱部４２１の溝部４２１ａに、使用者がウエットティッシュ容器２００から引き出したウエットティッシュＷ１を挟み込むと、ウエットティッシュＷ１が円弧状のアルミプレート４２１ｂの表面を摺動するため、上述の第２の実施形態の加熱部２２１や第１の変形例の加熱部３２１と異なり、より効果的にウエットティッシュＷ１を加熱することができる。
【００２９】
また、アルミプレート４２１ｂの外方には耐熱プラスチック製のアルミプレートカバー４２１ｃが設けられているので、使用者が加熱されているアルミプレート４２１ｂを直接、触れる危険はない。
さらに、アルミプレート４２１は、バネ等によって、アルミプレートカバー４２１ｃと接触状態に置かれているため、ウエットティッシュＷ１をより強く挟み込むことができ、これにより、さらに効果的にウエットティッシュＷ１を加熱することができる。
【００３０】
（第２の実施の形態の第３の変形例）
図１０は、図６に示す本実施の形態にかかるウエットティッシュ容器２００の加熱部２２１の第３の変形例を示す図である。図１０に示す加熱部５２１は、基台５２１ｄと、この基台５２１ｄを覆うための基台の蓋５２１ｅとを有している。この基台５２１ｄには、ガイド部５２１ｇが備わっており、その中央を縦断するようにウエットティッシュが配置される溝部５２１ａが設けられている。
この溝部５２１ａは凹部となっており、図示しないヒータ付きアルミプレートが配置されている。なお、このヒータは、図６示すコード１３０及びプラグ１３０ａ等により電力が供給されることになる。
また、基台の蓋５２１ｅには、基台５２１ｄの溝部５２１ａに対応した凸部５２１ｆが設けられている。
このように本変形例の加熱部５２１構成されており、使用者が使用する際は、以下のように動作する。
先ず、使用者は、上記加熱部５２１の基台の蓋５２１ｅを開き、その後、ウエットティッシュ容器２００の容器本体２１０からウエットティッシュＷ１を引き出す。そして、この引き出したウエットティッシュＷ１を、基台５２１ｄの溝部５２１ａに配置する。
【００３１】
この状態で、基台の蓋５２１ｅを閉めると、ウエットティッシュＷ１は、基台５２１ｄの溝部５２１ａの凹部と基台の蓋５２１ｅの凸部とに挟まれることになる。このとき、この溝部５２１ａには、ヒータ付きアルミプレートが付いているため、ウエットティッシュＷ１は、より広い面積で加熱されることになる。
また、加熱部５２１には、ガイド部５２１ｇが備わっているため、引き出されるウエットティッシュＷ１が、加熱部５２１から、はみ出てしまうことが防がれているとともに、このウエットティッシュＷ１を充分加熱することができるようになっている。
このようにウエットティッシュＷ１は、本変形例にかかる加熱部５２１に挟まれながら、使用者によって引き抜かれることで、ウエットティッシュＷ１の全体が、取り出し口１２２から引き出されながら加熱状態となる。
【００３２】
（第２の実施の形態の第４の変形例）
図１３は、図６に示す本実施の形態にかかるウエットティッシュ容器２００に第４の変形例である加熱部６２１を取り付けた図である。また図１４は、図１３に示す加熱部６２１の使用状態を示す図である。
図１３において、加熱部６２１は、例えば、図示しないプラグ及びコード等により電力の供給を受け、加熱部６２１に備えられているヒータ付きアルミプレート６２１ｂが加熱されることになる。
このように加熱されているヒータ付きアルミプレート６２１ｂに対して図１４に示すように、容器本体２１０から使用者によって取り出されたウエットティッシュＷ１を矢印のように、差し込み、さらに、図において手前方向に引き出すことで、このウエットティッシュＷ１は取り出し口１２２から引き出されながら加熱されることになる。
【００３３】
（第２の実施の形態のその他の変形例）
図１５は、図６に示す本実施の形態にかかるウエットティッシュ容器２００にその他の変形例である加熱部７２１を取り付けた図である。この加熱部７２１は、図１３に示す第４の変形例である加熱部６２１と同様に、例えば、図示しないプラグ及びコード等により電力の供給を受け、加熱部７２１に備えられているヒータ付きアルミプレート７２１ｂが加熱されることになる。
したがって、使用者が、このヒータ付きアルミプレート７２１ｂに、取り出し口１２２から引き出したウエットティッシュ（図示せず）を載置し、図において手前方向に引き抜くことで、このウエットティッシュは、取り出し口１２２から引き出されながら、その全体が加熱されることになる。
ところで、上述の図８乃至図１５示す、各変形例の加熱部２２１、３２１、４２１、５２１、６２１、７２１は、ウエットティッシュ２００の取り出し口１２２の近傍であって、容器カバー２２０の長手方向に設けられているが、これらの加熱部２２１、３２１、４２１、５２１、６２１、７２１は、図１５の容器カバー２２０の短手方向（図１５における破線部分）に設けても構わない。
また、これらの加熱部２２１、３２１、４２１、５２１、６２１、７２１は、容器カバー２２０等と別体のものとして設け、使用に際し、容器カバー２２０に取り付けても使用する場合だけでなく、容器カバー２２０等に一体的に設けられている場合であっても構わない。
【００３４】
（第３の実施の形態）
図１６は、本発明に係る第３の実施の形態に係るウエットティッシュ容器３００を示す図である。本実施の形態にかかるウエットティッシュ容器３００は、第１及び第２の実施の形態と比べ、加熱部８２１の位置が異なるため、以下、この加熱部８２１を中心に説明する。この加熱部８２１に関連する部分以外の構成は、第１及び第２の実施の形態と同様であるため、同一符号を付す等して説明を省略する。
図１６に示すように、本実施の形態のウエットティッシュ容器３００の加熱部８２１は、ウエットティッシュの取り出し口１２２を開閉するために設けられている蓋部１２３に形成されている。
この加熱部８２１は、図１７に示すように開閉可能に形成されている。そして、この加熱部８２１は、その表面８２１ａに例えばヒーターマイカ、中空の成形物及び耐熱性ゴム等の断熱材が配置されているため、図１６に示すように閉められた場合は、その断熱材の部分が、ウエットティッシュＷ１の取り出し口１２２に臨むように配置されることになる。
したがって、この加熱部８２１が閉状態の場合は、使用者は、ウエットティッシュＷ１に熱の影響を与えることなく、そのままの状態で使用することができる。
【００３５】
また、この蓋部１２３に取り付けられた加熱部８２１には、図１６に示すコード１３０に取り付けられているプラグを、コンセント等に接続することによって、電力が供給されるようになっている。すなわち、図１６に示すコード１３０は、容器本体２１０等やヒンジ１２３ａを経て、蓋部１２３から加熱部８２１に接続されている。
そして、ウエットティッシュＷ１を加熱する場合は、先ず、この加熱部８２１を図１７に示すように開状態にする。この開状態では、この加熱部８２１の内側に設けられているヒータ付きアルミプレート８２１ｂ、８２１ｂが、取り出し口１２２に対して臨む状態となる。このヒータ付きアルミプレート８２１ｂ、８２１ｂは、上記電力の供給を受けて加熱状態となっているため、取り出し口１２２が引き出したウエットティッシュＷ１を、このヒータ付きアルミプレート８２１ｂ、８２１ｂに接触するように配置し、その後、図１８に示すように、加熱部８２１を閉状態にして、ウエットティッシュＷ１を挟み込むようにする。
そして、この状態で、使用者が、この挟み込まれたウエットティッシュＷ１を図において上方に引き抜くと、ウエットティッシュＷ１全体を取り出し口１２２から引き出しながら加熱することができる。
本実施の形態のウエットティッシュ容器３００の加熱部８２１は、蓋部１２３に設けられているため、蓋部１２３を閉めて、取り出し口１２２を塞ぐと、加熱部８２１も同時に収納することができ、ウエットティッシュ容器３００の外観をすっきりさせることができる。
【００３６】
（第４の実施の形態）
図１９及び図２０は、本発明の実施の形態にかかるウエットティッシュ容器４００の第４の実施の形態を示す図である。
図１９及び図２０に示すウエットティッシュ容器４００が、上述の第１乃至第３の実施の形態にかかるウエットティッシュ容器１００、２００、３００と異なるのは、ウエットティッシュ容器４００の容器カバー２２０の上に、この容器カバー２２０を覆うように加熱部９２１が設けられていることである。したがって、以下、この加熱部９２１を中心に説明し、この加熱部８２１に関連する部分以外の構成は、第１乃至第３の実施の形態と同様であるため、同一符号を付す等して説明を省略する。
この加熱部９２１は、ウエットティッシュ容器４００を保管する場合には、図１９に示すように、容器カバー２２０の上に配置される。しかし、この加熱部９２１を使用する場合は、先ず、使用者が、図２０の矢印で示すように、この加熱部９２１を１８０度回転させることになる。このとき、この加熱部９２１には、回動可能に支持されている支持脚９２１ａが設けられているため、この支持脚９２１ａを９０度回転させることで、この加熱部９２１は、図２０のように支持されることになる。
このように加熱部９２１を開いた状態で、プラグ１３０ａをコンセントに差し込むと、電力が加熱部９２１に供給されることになる。
【００３７】
ところで、この加熱部９２１の図２０における上面には、ウエットティッシュＷ１を差し込むための溝部９２１ｂが形成されており、この溝部９２１ｂの内側にはヒータ付きアルミプレート９２１ｃが設けられている。そして、上記のプラグ１３０ａ及びコード１３０等は、このヒータ付きアルミプレート９２１ｃと電気的に接続されている。
したがって、使用者がプラグ１３０ａをコンセントに差し込むと、電気的に接続されているヒータ付きアルミプレート９２１ｃが加熱されることになる。
この状態で、使用者は図２０に示すウエットティッシュＷ１を取り出し口１２２から、１使用単位を引き抜き、その後、このウエットティッシュＷ１を溝部９２１ｂの一端、例えば図２０における右側から差し込むことになる。この右側から差し込まれたウエットティッシュＷ１は、図２０における左側の端部より、使用者によって引き抜かれることになる。
このように加熱部９２１の溝部９２１ｂに差し込まれ、引き抜かれたウエットティッシュＷ１は、この間に、ヒータ付きアルミプレート９２１ｃによって、その全体が加熱されることになる。
本実施の形態にかかるウエットティッシュ容器４００では、加熱部９２１のヒータ付きアルミプレート９２１ｃとウエットティッシュＷ１が、第１乃至第３の実施の形態より長く接触しているため、より効率良くウエットティッシュＷ１を加熱することができる。
【００３８】
（第５の実施の形態）
図２１及び図２２は、本発明の実施の形態にかかるウエットティッシュ容器５００の第５の実施の形態を示す図である。
図２１及び図２２に示すウエットティッシュ容器５００が、上述の第１乃至第４の実施の形態にかかるウエットティッシュ容器１００、２００、３００、４００と異なるのは、ウエットティッシュ容器５００の加熱部１０２１が、容器カバー２２０に回動可能の取り付けられている点である。したがって、以下、この加熱部１０２１を中心に説明し、この加熱部１０２１に関連する部分以外の構成は、第１乃至第４の実施の形態と同様であるため、同一符号を付す等して説明を省略する。
本実施の形態にかかるウエットティッシュ容器５００には、図２１に示すように、コンセントに差し込むためのプラグ１３０ａを有している。このプラグ１３０ａは、コード１３０等を経て加熱部１０２１と電気的に接続されている。
この加熱部１０２１は、回動中心軸１０２１ａを中心に、図２２の矢印に示すように、例えば９０度程度、回動可能になるように配置されている。
【００３９】
そして、この加熱部１０２１には、図２１に示すように、凹部１０２１ｂが、設けられている。この凹部１０２１ｂには、ヒータ付きアルミプレートが配置されるとともに、この凹部１０２１ｂは、加熱部１０２１が、回動中心軸１０２１ａを中心に、図２２の矢印に示すように、例えば９０度程度、回動した場合、取り出し口１２２から使用者によって引き出されたウエットティッシュＷ１に当接するようになっている（図２２参照）。
このように構成されているウエットティッシュ容器５００を、使用者が使用する場合は、先ず、プラグ１３０ａをコンセントに差し込む。これにより、電力は加熱部１０２１０凹部１０２１ｂに設けられているヒータ付きアルミプレートに供給され、アルミプレートが加熱されることになる。
その後、この加熱部１０２１を図２２に示すように、９０度回動させる。そして、この状態で、使用者は、ウエットティッシュ容器５００の取り出し口１２２から、ウエットティッシュＷ１を引き出す。
このウエットティッシュＷ１は、図２２に示すように、上記加熱部１０２１の凹部１０２１ｂに接触するように、引き出されることになる。このとき、このウエットティッシュＷ１は、この凹部１０２１ｂに設けられたヒータ付きアルミプレートに接触し、加熱される。したがって、ウエットティッシュＷ１は、取り出し口１２２から引き出されながら、その全体がヒータ付きアルミプレートで加熱されることになる。
【００４０】
本実施の形態にかかるウエットティッシュ容器５００によれば、上述の他の実施の形態にかかるウエットティッシュ容器１００等と異なり、ウエットティッシュＷ１の引き出し位置（例えば排出口１２２ａの真上等）に応じて、加熱部１０２１を移動させることができる。
【００４１】
（第６の実施の形態）
図２３及び図２４は、本発明の実施の形態にかかるウエットティッシュ容器６００の第６の実施の形態を示す図である。
図２３及び図２４に示すウエットティッシュ容器６００が、上述の第１乃至第５の実施の形態にかかるウエットティッシュ容器１００、２００、３００、４００、５００と異なるのは、ウエットティッシュ容器６００の容器カバー３２０にスライド移動される加熱部１１２１が設けられている点である。
したがって、以下、これら容器カバー３２０と加熱部１１２１等を中心に説明し、これら容器カバー３２０と加熱部１１２１等に関連する部分以外の構成は、第１乃至第５の実施の形態と同様であるため、同一符号を付す等して説明を省略する。
本実施の形態にかかるウエットティッシュ容器６００の容器カバー３２０には、図２３に示すように、加熱部１１２１が設けられている。この加熱部１１２１は、図２４の矢印方向にスライド移動可能なように配置されている。この加熱部１１２１の図において上面には、ヒータ付きアルミプレートが配置されている溝部１１２１ａが設けられている。
また、このヒータ付きアルミプレートとプラグ１３０ａは、電気的に接続されている。
【００４２】
このように構成されているウエットティッシュ容器６００を使用者が使用する場合は、先ず、この加熱部１１２１の端部を保持して、図において左方向に加熱部１１２１をスライド移動させる。この状態を示したのが図２４である。
その後、プラグ１３０ａをコンセントに差し込むと、電力が上記ヒータ付きアルミプレートに供給され、アルミプレートが加熱されることになる。
そして、使用者が排出口１２２ａからウエットティッシュＷ１を、僅かに引き出し、この引き出されたウエットティッシュＷ１を加熱部１１２１の溝部１１２１ａに差し込み、この溝部１１２１ａの内部を摺動するようにして、図における破線部分のように、ウエットティッシュＷ１を移動させる。
このとき、溝部１１２１ａには、ヒータ付きアルミプレートが配置されているため、ウエットティッシュＷ１は加熱されることになる。
その後、さらに、このウエットティッシュＷ１を図において左方向に引き抜くと、使用者は、全体が加熱されたウエットティッシュＷ１を得ることができる。このように本実施の形態では、加熱部１１２１が排出口１２２ａの蓋部１２３の役割を果たすため、上述の各実施の形態にかかるウエットティッシュ１００等と異なり、蓋部１２３を設ける必要がなく、コストダウンが可能となる。
【００４３】
ところで、上記各実施の形態における加熱部１２１、２２１、３２１、４２１、５２１、６２１、７２１、８２１、９２１、１０２１、１１２１では、セラミックヒータ１２１ｅやヒータ付きアルミプレート３２１ｂ，６２１ｂ，７２１ｂ，８２１ｂ，９２１ｂ等のヒータを熱源としているが、このヒータ以外に蓄熱性の加熱されたゲル状の素材やお湯、又はカイロ等を熱源としても構わない。
【００４４】
【発明の効果】
以上述べたように、本発明によれば、ウエットティッシュ容器内のウエットティッシュの水分を乾燥させることなく、直近の使用単位のウエットティッシュを温めるウエットティッシュ容器を提供することができる。
【図面の簡単な説明】
【図１】本発明の第１の実施の形態にかかるウエットティッシュ容器を示す概略斜視図である。
【図２】図１の加熱部の正面斜視図である。
【図３】図１の加熱部の底面斜視図である。
【図４】図１の容器本体に収容されているウエットティッシュの積層状態を示す図である。
【図５】図１のウエットティッシュ容器の使用状態を示す図である。
【図６】本発明の第２の実施の形態にかかるウエットティッシュ容器を示す概略斜視図である。
【図７】図６のウエットティッシュ容器の使用状態を示す図である。
【図８】第２の実施の形態の加熱部の第１の変形例を示す図である。
【図９】第２の実施の形態の加熱部の第２の変形例を示す図である。
【図１０】第２の実施の形態の加熱部の第３の変形例を示す図である。
【図１１】図８の加熱部の概略断面図である。
【図１２】図９の加熱部の概略断面図である。
【図１３】第２の実施の形態の加熱部の第４の変形例を示す図である。
【図１４】図１３の加熱部の使用状態を示す図である。
【図１５】第２の実施の形態の加熱部のその他の変形例を示す図である。
【図１６】本発明の第３の実施の形態にかかるウエットティッシュ容器を示す概略斜視図である。
【図１７】図１６のウエットティッシュ容器の使用状態を示す図である。
【図１８】図１６のウエットティッシュ容器の使用状態を示す図である。
【図１９】本発明の第４の実施の形態にかかるウエットティッシュ容器を示す概略斜視図である。
【図２０】図１９のウエットティッシュ容器の使用状態を示す図である。
【図２１】本発明の第５の実施の形態にかかるウエットティッシュ容器を示す概略斜視図である。
【図２２】図２１のウエットティッシュ容器の使用状態を示す図である。
【図２３】本発明の第６の実施の形態にかかるウエットティッシュ容器を示す概略斜視図である。
【図２４】図２３のウエットティッシュ容器の使用状態を示す図である。
【符号の説明】
１００、２００、３００、４００、５００、６００・・・ウエットティッシュ容器、１１０、２１０・・・容器本体、１２０、２２０、３２０・・・容器カバー、１２１、２２１、３２１、４２１、５２１、６２１、７２１、８２１、９２１、１０２１、１１２１・・・加熱部、１２１ａ，２２１ａ，３２１ａ，４２１ａ，５２１ａ，９２１ｂ，１１２１ａ・・・溝部、１２１ｂ・・・基板、１２１ｃ溝部形成用板材、１２１ｄ・・・バネ、１２１ｅ・・・セラミックヒータ、１２２・・・取り出し口、１２２ａ・・・排出口、１２３・・・蓋部、１２３ａ・・・ヒンジ、１３０・・・コード、１３０ａ・・・プラグ、Ｗ１、Ｗ２・・・ウエットティッシュ、３２１ｂ，６２１ｂ，７２１ｂ，８２１ｂ，９２１ｂ・・・ヒータ付きアルミプレート、４２１ｂ・・・アルミプレート、４２１ｃ・・・アルミプレートカバー
【図１】
0003865964.tif 000002
【図２】
0003865964.tif 000003
【図３】
0003865964.tif 000004
【図４】
0003865964.tif 000005
【図５】
0003865964.tif 000006
【図６】
0003865964.tif 000007
【図７】
0003865964.tif 000008
【図８】
0003865964.tif 000009
【図９】
0003865964.tif 000010
【図１０】
0003865964.tif 000011
【図１１】
0003865964.tif 000012
【図１２】
0003865964.tif 000013
【図１３】
0003865964.tif 000014
【図１４】
0003865964.tif 000015
【図１５】
0003865964.tif 000016
【図１６】
0003865964.tif 000017
【図１７】
0003865964.tif 000018
【図１８】
0003865964.tif 000019
【図１９】
0003865964.tif 000020
【図２０】
0003865964.tif 000021
【図２１】
0003865964.tif 000022
【図２２】
0003865964.tif 000023
【図２３】
0003865964.tif 000024
【図２４】
0003865964.tif 000025